(57)【要約】  【課題】  外付け電話の機能を満たし、かつ無鳴動着信によるファクシミリ通信を低コストで実現させること。  【解決手段】  制御部は、ＮＣＵで受信された信号の判別を行い、ＣＡＲ信号を受信した場合（Ｓ２０１；ＣＡＲ）、ＣＭＬスイッチをＯＮ状態にして回線と外付け電話とを接続する（Ｓ２０２）。次に、受信完了信号が検出されたか否かを判断し、受信完了信号が検出された場合（Ｓ２０３；Ｙ）、ＣＭＬスイッチをＯＦＦ状態にして回線と外付け電話とを切断する（Ｓ２０４）。続いて、ＩＲ信号が受信されたか否かを判別し、ＩＲ信号が受信された場合（Ｓ２０５；Ｙ）、オフフック状態に遷移させ、タイマーをセットする（Ｓ２０６）。次に、ＣＮＧ信号が検出されたか否かを判断し、ＣＮＧ信号が検出された場合（Ｓ２０７；Ｙ）、ファクシミリ装置は、ファクシミリ受信を開始し（Ｓ２０９）、処理を終了する。  【選択図】  図２
2007013535.tif 000002
【特許請求の範囲】
【請求項１】
通信回線との回線接続手段と、
通信前情報通知サービスの提供を受けることが可能な端末装置との端末接続手段と、
情報受信端末起動信号を受信する受信手段と、
前記受信手段により前記情報受信端末起動信号を受信した後、前記端末装置のオンフック／オフフック状態を検出する状態検出手段と、
前記状態検出手段により前記端末装置のオフフック状態が検出された場合、前記端末装置と前記通信回線とを繋ぐ回線を切断する回線切断手段と、
前記回線切断手段により前記端末装置と前記通信回線とを繋ぐ回線が切断された後、呼出信号を受信したタイミングでオフフック状態に遷移させ、ファクシミリ受信を行うファクシミリ通信手段と、
を備えたことを特徴とするファクシミリ装置。
【請求項２】
前記端末装置を擬似鳴動させる鳴動手段と、
ＣＮＧ（発呼トーン）信号を検出するＣＮＧ検出手段と、
を備え、
前記ＣＮＧ検出手段により前記ＣＮＧ信号が検出された場合、前記ファクシミリ通信手段によるファクシミリ受信を行い、
前記ＣＮＧ検出手段により前記ＣＮＧ信号が検出されない場合、前記鳴動手段により前記端末装置を擬似鳴動させることを特徴とする請求項１記載のファクシミリ装置。
【請求項３】
前記呼出信号と前記情報受信端末起動信号とを識別する識別手段を備え、
受信された信号を前記識別手段により識別した結果、前記呼出信号が受信されたと判別された場合、前記ファクシミリ通信手段によるファクシミリ受信を行い、
受信された信号を前記識別手段により識別した結果、前記情報受信端末起動信号が受信されたと判別された場合、前記端末装置と前記通信回線とを繋ぐ回線を接続することを特徴とする請求項１または請求項２記載のファクシミリ装置。
【発明の詳細な説明】
【技術分野】
【０００１】
本発明は、文字や画像を静止画として伝送するファクシミリ装置に関し、特に、通信前情報通知サービスの受信機能を有する端末装置との接続が可能なファクシミリ装置に関する。
【背景技術】
【０００２】
電話の着信呼び出しがあったとき、応答する前に発信者の電話番号を着信電話機のディスプレイまたは表示用アダプタに表示する発信電話番号表示（ナンバーディスプレイ）サービスが各電話会社から提供されている。なお、この発信電話番号表示サービスの提供を受ける場合には、発信電話番号受信機能を有する電話機が必要となる。
【０００３】
ところで、文字や画像を静止画として伝送するファクシミリ装置に、発信電話番号受信機能を有する外付け電話機を接続し、この外付け電話機に発信電話番号を表示させる場合には、従来、次の２つの方式が用いられている。
１つは、外付け電話機と電話回線とを接続し、発信電話番号情報を直接電話回線から受信して表示させる方式である。
もう一方は、下記の特許文献に開示されている発信電話番号情報を一旦ファクシミリ装置で受信し、その後、ファクシミリ装置から外付け電話機を呼び出して発信電話番号を通知する方式である。
【特許文献１】特開２００１−３５８８４９公報
【発明の開示】
【発明が解決しようとする課題】
【０００４】
しかしながら、上述した方式を用いて外付け電話機に発信電話番号を表示させる場合次のような不具合を生じるおそれがあった。
例えば、外付け電話機と電話回線とを接続する方式を用いる場合、ファクシミリ通信の際に電話回線を介して送信されてくる呼出信号（ＩＲ）を外付け電話機が受信し、外付け電話機が鳴動するため、無鳴動着信によるファクシミリ通信を行うことができない。
【０００５】
また、発信電話番号情報をファクシミリ装置で受信する方式を用いる場合、ファクシミリ装置に発信電話番号情報を受信し、外付け電話機へ送信するためのハードウェアおよびソフトウェアを備える必要があり、コスト削減を図ることが困難であった。
そこで本発明は、外付けされた端末装置の通信前情報通知サービスの受信機能を満たし、かつ無鳴動着信によるファクシミリ通信を低コストで実現させることができるファクシミリ装置を提供することを目的とする。
【課題を解決するための手段】
【０００６】
請求項１記載の発明では、通信回線との回線接続手段と、通信前情報通知サービスの提供を受けることが可能な端末装置との端末接続手段と、情報受信端末起動信号を受信する受信手段と、前記受信手段により前記情報受信端末起動信号を受信した後、前記端末装置のオンフック／オフフック状態を検出する状態検出手段と、前記状態検出手段により前記端末装置のオフフック状態が検出された場合、前記端末装置と前記通信回線とを繋ぐ回線を切断する回線切断手段と、前記回線切断手段により前記端末装置と前記通信回線とを繋ぐ回線が切断された後、呼出信号を受信したタイミングでオフフック状態に遷移させ、ファクシミリ受信を行うファクシミリ通信手段と、を備えることにより前記目的を達成する。
【０００７】
請求項２記載の発明では、請求項１記載の発明において、前記端末装置を擬似鳴動させる鳴動手段と、ＣＮＧ（発呼トーン）信号を検出するＣＮＧ検出手段と、を備え、前記ＣＮＧ検出手段により前記ＣＮＧ信号が検出された場合、前記ファクシミリ通信手段によるファクシミリ受信を行い、前記ＣＮＧ検出手段により前記ＣＮＧ信号が検出されない場合、前記鳴動手段により前記端末装置を擬似鳴動させる。
【０００８】
請求項３記載の発明では、請求項１または請求項２記載の発明において、前記呼出信号と前記情報受信端末起動信号とを識別する識別手段を備え、受信された信号を前記識別手段により識別した結果、前記呼出信号が受信されたと判別された場合、前記ファクシミリ通信手段によるファクシミリ受信を行い、受信された信号を前記識別手段により識別した結果、前記情報受信端末起動信号が受信されたと判別された場合、前記端末装置と前記通信回線とを繋ぐ回線を接続する。
【発明の効果】
【０００９】
請求項１記載の発明では、前記状態検出手段により前記端末装置のオフフック状態が検出された場合、通信回線と端末装置を切断することができるため、端末装置に通信前情報を通知させ、かつ、無鳴動着信を実現させることができる。
請求項２記載の発明では、ＣＮＧ検出手段を設けることにより、ＣＮＧ信号を検出した場合には、無鳴動でファクシミリ受信を開始し、一方、ＣＮＧ信号を検出できなかった場合には、端末装置を呼び出すことが可能となる。
請求項３記載の発明では、情報受信端末起動信号と呼出信号とを判別して処理を行うため、情報受信端末起動信号ではなく呼出信号を受信した場合であっても、無鳴動でファクシミリ受信を行うことが可能となる。
【発明を実施するための最良の形態】
【００１０】
以下、本発明の好適な実施の形態について、図１および図２を参照して詳細に説明する。
図１は、本実施の形態に係るファクシミリシステムの構成の一例を示した図である。
図に示すように、本実施の形態に係るファクシミリ装置１は、制御部１０１、操作表示部１０２、メモリ１０３、スキャナ１０４、プロッタ１０５、ＣＣＵ（通信制御部）１０６、ＮＣＵ（ネットワーク制御部）１０７、鳴動回路１０８を備え、これらの装置がシステムバス１１０を介して接続されている。
【００１１】
本実施の形態に係るファクシミリ装置１は、ＮＣＵ１０７を介して回線２に接続されている。回線２とＮＣＵ１０７の間には、この間を流れる電流を検出する電流センサ１１１が設けられている。この電流センサ１１１は、制御部１０１に接続されている。
また、ファクシミリ装置１は、鳴動回路１０８を介して、発信電話番号受信機能（ナンバーディスプレイ）機能を有する情報受信端末装置である外付け電話３が接続されている。
さらに、ＮＣＵ１０７と鳴動回路１０８とはＣＭＬ（電流モードロジック）スイッチ１０９を介して接続されている。即ち、外付け電話３とＮＣＵ１０７とは、ＣＭＬスイッチ１０９を介して接続できるように構成されている。
【００１２】
制御部１０１は、内蔵されたプログラムに従って装置全体を管理、制御する。
操作表示部１０２は、操作者がファクシミリ装置１に指示を与えるためのキーボードおよびファクシミリ装置が操作者にメッセージ等を与えるための表示手段などから構成されている。
メモリ１０３は、画情報などをページ単位で一時的に格納しておくことができるページメモリや各種プログラムを格納しておく記憶装置からなる。
【００１３】
スキャナ１０４は、原稿上の画像を読み取る読み取り装置である。このスキャナ１０４で読み取られた原稿の画像データは、図示されていないＤＣＲ（画情報圧縮再生部）において符号化（圧縮）されるように構成されている。
なお、ＤＣＲ（画情報圧縮再生部）では、受信したファクシミリデータ（受信画情報）の復号化（伸張）を行う機能も有している。
【００１４】
プロッタ１０５は、例えばＤＣＲによって復号化された受信画情報をメモリ１０３を介して印字出力する出力装置である。
ＣＣＵ１０６は、Ｇ３伝送制御手順に従ってファクシミリ送受信を制御する通信制御装置である。なお、このＣＣＵ１０６は、ＩＲ信号（呼出信号）およびＣＡＲ信号（情報受信端末起動信号）、発呼トーン（ＣＮＧ信号）等の受信信号を検知する機能を有している。
ＮＣＵ１０７は、回線２と接続し、この回線２を制御して電話をかけたり切ったりする網制御装置である。
鳴動回路１０８は、ファクシミリ装置１に接続される外付け電話３を鳴動させる制御を行う回路である。
【００１５】
電流センサ１１１は、制御部１０１に直接接続されたセンサであり、回線を流れる回線電流の検出を行う。本実施の形態に係るファクシミリ装置１では、電流センサ１１１により回線電流が検出された場合には、外付け電話３がオフフック状態であると判断する。一方、電流センサ１１１により回線電流が検出されない場合には、外付け電話３がオンフック状態であると判断する。
ＣＭＬスイッチ１０９は、通信回線の切り替えを行う切替装置である。回線２は、このＣＭＬスイッチ１０９を介してＮＣＵ１０７もしくは外付け電話３と接続されている。
ＣＭＬスイッチ１０９は、ＯＮ時、即ちＣＭＬ信号が“０”である場合、回線２と外付け電話３とを接続する。一方、ＯＦＦ時、即ちＣＭＬ信号が“１”である場合、回線２と外付け電話３とを切断する。
【００１６】
次に、このような構成を有するファクシミリ装置１における動作の説明をする。
図２は、本実施の形態に係るファクシミリ装置１における制御動作の手順を示したフローチャートである。
まず、制御部１０１は、ＮＣＵ１０７において受信された信号の判別を行う（ステップ２０１）。詳しくは、ＮＣＵ１０７において受信された信号が、ＣＡＲ信号（情報受信端末起動信号）、ＩＲ信号（呼出信号）、その他の信号のうちどの信号に該当するかの判別を行う（ステップ２０１）。
詳しくは、制御部１０１は、ＮＣＵ１０７において受信された信号を２値化し、２値化された信号に基づいて判別を行う。なお、信号の判別は、例えば、交換機から送信されてきた信号のオン時間およびオフ時間の計測により行う。
【００１７】
そして、ＣＡＲ信号（情報受信端末起動信号）を受信した場合（ステップ２０１；ＣＡＲ）、制御部１０１は、ＣＭＬスイッチ１０９におけるＣＭＬ信号を“０”に設定して、即ち、ＣＭＬスイッチ１０９をＯＮ状態にして、回線２と外付け電話３とを接続する（ステップ２０２）。
これにより、回線２から引き続き送られてくるＣＡＲ信号（情報受信端末起動信号）を外付け電話３へ送信することが可能となる。
外付け電話３は、ＣＡＲ信号（情報受信端末起動信号）を受信し、所定の通信前情報通知処理をオフフック状態で行う。
【００１８】
次に、制御部１０１は、受信完了信号が検出されたか否か、即ち、回線の切断状態が検出されたか否かを判断する（ステップ２０３）。つまり、ここでは、外付け電話３のオンフック状態の検出を行う。この受信完了信号の検出、つまり外付け電話３のオンフック状態の検出は、電流センサ１１１によって回線を流れる電流量に基づいて行うことができる。
【００１９】
受信完了信号が検出されない場合（ステップ２０３；Ｎ）、制御部１０１は、引き続きステップ２０３の処理を繰り返す。
一方、受信完了信号が検出された場合（ステップ２０３；Ｙ）、制御部１０１は、ＣＭＬスイッチ１０９におけるＣＭＬ信号を“１”に設定して、即ち、ＣＭＬスイッチ１０９をＯＦＦ状態にして、回線２と外付け電話３とを切断する（ステップ２０４）。
【００２０】
続いて、制御部１０１は、ＮＣＵ１０７においてＩＲ信号（呼出信号）が受信されたか否かを判別する（ステップ２０５）。
ＮＣＵ１０７においてＩＲ信号（呼出信号）が受信されていない場合（ステップ２０５；Ｎ）、制御部１０１は、引き続きステップ２０５の処理を繰り返す。
一方、ＮＣＵ１０７においてＩＲ信号（呼出信号）が受信された場合（ステップ２０５；Ｙ）、制御部１０１は、当該ファクシミリ装置１をオフフック状態に遷移させ、さらに、タイマー設定プログラムを起動して、適切な時間のタイマーをセットする（ステップ２０６）。
【００２１】
次に、制御部１０１は、ＣＣＵ１０６によって発呼トーン（ＣＮＧ信号）が検出されたか否かを判断する（ステップ２０７）。
発呼トーン（ＣＮＧ信号）が検出されない場合（ステップ２０７；Ｎ）、制御部１０１は、タイマーの設定時間が経過したか否か、即ち、タイマーが満了したか否かを判断する（ステップ２０８）。
タイマーの設定時間が経過していない場合、即ち、タイマーが満了していない場合（ステップ２０８；Ｎ）、ステップ２０７の処理を繰り返す。
一方、タイマーの設定時間が経過した場合、即ち、タイマーが満了した場合（ステップ２０８；Ｙ）、制御部１０１は、鳴動回路１０８を制御し、外付け電話３を擬似鳴動させ、即ち、外付け電話３を呼び出し（ステップ２１０）、処理を終了する。
【００２２】
また、ＣＣＵ１０６によって発呼トーン（ＣＮＧ信号）が検出された場合（ステップ２０７；Ｙ）、ファクシミリ装置１は、通常のファクシミリ受信を開始し（ステップ２０９）、処理を終了する。
ステップ２０１の処理において、ＩＲ信号（呼出信号）が受信されたと判別された場合（ステップ２０１；ＩＲ信号）、ステップ２０６の処理に進む。
なお、ステップ２０１の処理において、ＣＡＲ信号（情報受信端末起動信号）およびＩＲ信号（呼出信号）が受信されたと判断されなかった場合、または、いずれの信号も受信されたと判断されなかった場合（ステップ２０１；その他信号）、引き続きステップ２０１の処理を繰り返す。
【００２３】
上述したように、本実施の形態によれば、受信完了信号を検出した直後に回線２と外付け電話３とを切断することができるため、外付け電話３に発信電話番号を表示させ、かつ、無鳴動着信を実現させることができる。
また、本実施の形態によれば、ＣＮＧ信号の検出機能を設けることにより、ＣＮＧ信号を検出した場合には、無鳴動でファクシミリ受信を開始し、一方、ＣＮＧ信号を検出できなかった場合には、外付け電話３を呼び出すことが可能となる。
【００２４】
さらに、本実施の形態によれば、ＣＡＲ信号（情報受信端末起動信号）とＩＲ信号（呼出信号）とを判別して処理を行うため、ＣＡＲ信号（情報受信端末起動信号）ではなくＩＲ信号（呼出信号）を受信した場合であっても、無鳴動でファクシミリ受信を行うことが可能となる。
なお、上述した本実施の形態では、通信前情報通知サービスの一例として、発信電話番号表示（ナンバーディスプレイ）サービスを用いて説明を行ったが、通信前情報通知サービスはこれに限定されるものではない。例えば、ダイヤルインサービスなども同様に上述したシステムを適用することができる。
【図面の簡単な説明】
【００２５】
【図１】本実施の形態に係るファクシミリシステムの構成の一例を示した図である。
【図２】本実施の形態に係るファクシミリ装置における制御動作の手順を示したフローチャートである。
【符号の説明】
【００２６】
１  ファクシミリ装置
２  回線
３  外付け電話
１０１  制御部
１０２  操作表示部
１０３  メモリ
１０４  スキャナ
１０５  プロッタ
１０６  ＣＣＵ
１０７  ＮＣＵ
１０８  鳴動回路
１０９  ＣＭＬスイッチ
１１０  システムバス
１１１  電流センサ
【図１】
2007013535.tif 000003
【図２】
2007013535.tif 000004